(57)【特許請求の範囲】
【請求項１】
磁石からなる回し台と、前記回し台の上で回す独楽とからなり、
前記独楽は非磁性材からなる金属製の重量部と、当該重量部の中心を通るように配置された回転中心となる樹脂又は木製の心棒とを備え、
前記心棒の先端部にスチール製の球面部を有し、
前記重量部は回転廻りの外径Ｄの寸法が独楽の重心Ｏの高さＨの寸法より小さく、前記重量部の上下方向の幅ＬＷの寸法が独楽の全長ＬＴの１／２以下である高重心構造であるとともに前記重量部は上下に２分割に分離されていることを特徴とする独楽セット。
【発明の詳細な説明】
【技術分野】
【０００１】
本発明は、独楽に関し、特に歳差運動から速く起立状態になる独楽に係る。
【背景技術】
【０００２】
独楽は、回転させて遊ぶ玩具の１つであり、回転させる先端部と回転時のバランスをとるための重り部を有する。
伝統的な独楽は、回転中心となる心棒に比較的外径の大きい重り部を設ける際に回転時に低い重心位置になるように設計されていた。
また、特許文献１，２には歳差運動させることで変化を楽しむ独楽を開示する。
特許文献３には、磁石を用いて回転が止まっても倒れない独楽を開示する。
このような独楽に対して、回転中にこの回転心棒を傾かせるように手等で触れると歳差運動するように心棒が傾くが、速やかに起立状態に戻る倒れない独楽があると新たな楽しみ方がある。
このような独楽としては、回転時の重心を高い位置に設定することが知られているが、本発明はさらに倒れ難い独楽を検討したものである。
【先行技術文献】
【特許文献】
【０００３】
【特許文献１】特開２０１０−２２７９７号公報
【特許文献２】特開２００５−３４６０３号公報
【特許文献３】特開２００３−１９０６４６号公報
【発明の概要】
【発明が解決しようとする課題】
【０００４】
本発明は、回転時に倒れ難い独楽の提供を目的とする。
【課題を解決するための手段】
【０００５】
本発明に係る独楽は、重量部と、当該重量部の中心を通るように配置された回転中心となる心棒とを備え、前記心棒の先端部に球面部を有することを特徴とする。
これまでの独楽は、一般的に心棒となる部分の先端部はとがった形状のものであったが、本発明では先端部を球面形状にした点に特徴がある。
ここで、球面形状とは球体の一部が心棒の先端部から露出している状態をいい、球体が回転自在のボールになっていてもよい。
球体が回転しない場合は、Ｒ＝２〜４ｍｍの球面形状がよく、球体が回転するように心棒の先端部に保持されている場合は、Ｒ＝０．２〜２ｍｍのボール形状が好ましい。
このようにすると、回転中に心棒を傾けても直ぐに起立状態に復帰する。
【０００６】
本発明において、重量部の回転廻りの外径Ｄ寸法よりも独楽の重心高さＨ寸法の方が大きい高重心構造になっているのが好ましい。
高重心構造になっているとさらに起立方向のベクトルが作用する。
【０００７】
独楽の先端部の球面部が磁石又は磁性体になっていると、独楽の回転時に次のような作用が働く。
独楽の先端部を磁石にし、鉄製の回し台にてこの独楽を回すと、あるいは独楽の先端部を鉄球にし、磁石からなる回し台にこの独楽を回すと、次のような動きを示す。
独楽は、起立した状態に自転するが、自転の回転方向とは逆方向にゆっくり円を描くように自転しながら公転する。
また、磁力が強い場合は、独楽の回転が止まっても倒れることなく起立状態を維持する。
【０００８】
高重心で回転力が強い独楽を得るには、心棒が樹脂製で重量部が金属製であるのが好ましく、その場合に重量部はアルミ合金，銅合金等の非磁性材で製作すると、独楽は次のような動きを示す。
表面の中央部がやや凹んだ回し台にてこの独楽を回し、ボール状の磁石をこの回し台に置くと回転する重量部にボール磁石が近付くように転がるが、近付くと反力が作用し遠ざかるような動きをし、回し台の凹部によるボール磁石が接近する動きと、この反力により遠ざかる動きとが交互に現れる、変化に富む独楽となる。
【発明の効果】
【０００９】
本発明に係る独楽は、回転中に傾かせると重量部が歳差運動するが先端部が球面状になっているので、重量部にジャイロ効果が働き速やかに起立する。
【図面の簡単な説明】
【００１０】
【図１】本発明に係る独楽の例を示し、（ａ）は側面図，（ｂ）は先端部の拡大図を示す。
【図２】（ａ）〜（ｃ）は独楽の動きを示す。
【図３】独楽とボール磁石の相対的動きを示す。
【図４】（ａ）〜（ｃ）は独楽の変形例を示す。
【発明を実施するための形態】
【００１１】
本発明に係る独楽１０の構造例を図１に示す。
心棒１２を重量部１１に対して、独楽全体の重心Ｏを通るように垂直方向に配置してある。
重量部は金属製であり、心棒１２は樹脂製である。
重量部の下側に位置する下部１２ａの先端部１３には、スチール製のボール１３ａをインサート成形することで先端部が球面形状になっている例である。
このボール１３ａは、ボールペンのペン先構造のようにボール１３ａを回動自在に潤滑保持されてもよい。
ボール１３ａが球面形状になっているので、図２（ａ）に示すように心棒１２の上端側を指で触れ、α角だけ傾かせても直ぐに起立し、倒れない独楽となる。
【００１２】
本実施例では、重量部１１を分割し、心棒１２の上部側をつまんで回せるように棒状のつまみ部１４になっている。
重量部１１は、一体的な球状であったり、図４に変形例を示すように各種形状等が考えられ、形状そのものに制限はない。
（ａ）のように、心棒１２が細い場合に拡径したつまみ部１４にし、先端部１３ｂも心棒より大きい直径の球面体にしてもよい。
図４（ｂ）は、重量部１０Ｂが半球体の例であり、（ｃ）はおわん状の重量部１０Ｃである例となっている。
（ｃ）は重量部１０Ｃが物に当たると、おりんのように共鳴音がでる例である。
【００１３】
重量部１１の配置を図１で説明する。
重量部の回転方向の外径Ｄが独楽の重心Ｏの高さ寸法Ｈより小さくなっている。
これにより、相対的に重心Ｏの位置が高い高重心構造になっている。
独楽の全長ＬＴに対して、重量部の上下方向の幅寸法ＬＷは１／２以下に設定されているのが好ましく、心棒１２は樹脂，木等の軽い材料で製作し、重量部はスチール，銅合金，アルミ合金等の金属製であるのが好ましい。
【００１４】
図２に、先端部１３のボール１３ａがスチール製である独楽１０を磁石からなる回し台１の上に回した状態を示す。
（ａ）は、独楽１０を反時計廻りＷ０の方向に回すと、独楽１０はゆっくり時計方向Ｍ０に円運動した。
（ｂ）は、独楽１０を時計廻りＷ１の方向に回すと、こんどは独楽１０が反時計廻りＭ１の方向に円運動をした。
なお、独楽１０は、（ｃ）に示すように磁力が十分に強い場合には回転が止まっても倒れない。
【００１５】
図３は、中央部に向けて緩やかな球面状に凹んだ回し台２の上にて独楽１０を回し、ネオジウム磁石からなるボール磁石３をこの回し台２の上に載せた状態を示す。
独楽１０とボール磁石３は、ともに凹んだ中央部に向けて移動するが、金属製の重量部が回転しているので、例えばアルミ合金製であってもボール磁石３が近付くと、反力が相互に発生し、ボール磁石３が独楽１０に近付いたり、遠ざかったりする反復運動を示した。
これにより、動きが新しい独楽と回し台との組合せが得られた。
【符号の説明】
【００１６】
１０      独楽
１１      重量部
１２      心棒
１３      先端部
１３ａ    ボール
１４      つまみ部
Ｏ        重心
【図１】
0006628020.tif 000002
【図２】
0006628020.tif 000003
【図３】
0006628020.tif 000004
【図４】
0006628020.tif 000005